(57)【特許請求の範囲】
【請求項１】
下記一般式（１）で表されるリン酸エステル（Ａ）とアルカリ金属の炭酸塩（Ｂ）と水を含む液体洗浄剤組成物であって、前記リン酸エステル（Ａ）と前記アルカリ金属の炭酸塩（Ｂ）とを０．３〜１．５の質量比（Ａ）／（Ｂ）で配合してなり、濃度１質量％水溶液にして測定したｐＨが１０．０〜１１．５である、繊維製品用洗浄剤組成物（但し、ペルオキシ化合物、Ｎ−アシル化合物もしくはＯ−アシル化合物、及び増白剤よりなる漂白成分を含む洗浄剤組成物を除く）。
【化１】
0006719017.tif 000006
式（１）中、Ｒは炭素数８〜１５の脂肪族炭化水素基またはスチレン化フェニル基を表し、ＡＯは炭素数２〜４のオキシアルキレン基を表し、ｎは平均付加モル数を表し０〜１０の数であり、Ｍは水素原子、アルカリ金属、アンモニウムまたは有機アンモニウムを表す。ｍは１または２を表し、前記リン酸エステル（Ａ）は、ｍ＝１のモノエステル体、ｍ＝２のジエステル体、またはモノエステル体とジエステル体の混合物である。
【請求項２】
さらにポリオキシアルキレンアルキルエーテル硫酸エステルおよびその塩（Ｃ）の少なくともいずれか一方を含む、請求項１に記載の繊維製品用洗浄剤組成物。
【発明の詳細な説明】
【技術分野】
【０００１】
本発明は、繊維製品用洗浄剤組成物に関する。
【背景技術】
【０００２】
衣料などの繊維製品を洗浄するための洗浄剤組成物として、例えば、特許文献１には、有機リン酸エステルアニオンと有機アミン誘導体カチオンとの塩、および、非イオン界面活性剤とを配合することにより、泥汚れの洗浄性を向上することが開示されている。しかしながら、特許文献１に記載の洗浄剤では、繊維製品に付着した血液汚れを落とすことが難しい。
【０００３】
また、一般的に、ｐＨが高い洗浄剤を用いれば、血液汚れを落とすことができるが、ｐＨが高い洗浄剤では繊維製品にダメージを与えてしまう。
【先行技術文献】
【特許文献】
【０００４】
【特許文献１】特開２０００−００８０７８号公報
【発明の概要】
【発明が解決しようとする課題】
【０００５】
本発明の実施形態は、繊維製品へのダメージを抑えながら、血液汚れに対する洗浄性を向上することができる繊維製品用洗浄剤組成物を提供することを目的とする。
【課題を解決するための手段】
【０００６】
本発明の実施形態に係る繊維製品用洗浄剤組成物は、下記一般式（１）で表されるリン酸エステル（Ａ）とアルカリ金属の炭酸塩（Ｂ）と水を含む液体洗浄剤組成物であって、前記リン酸エステル（Ａ）と前記アルカリ金属の炭酸塩（Ｂ）とを０．３〜１．５の質量比（Ａ）／（Ｂ）で配合してなり、濃度１質量％水溶液にして測定したｐＨが１０．０〜１１．５である、洗浄剤組成物（但し、ペルオキシ化合物、Ｎ−アシル化合物もしくはＯ−アシル化合物、及び増白剤よりなる漂白成分を含む洗浄剤組成物を除く）である。
【０００７】
【化１】
0006719017.tif 000002
式（１）中、Ｒは炭素数８〜１５の脂肪族炭化水素基またはスチレン化フェニル基を表し、ＡＯは炭素数２〜４のオキシアルキレン基を表し、ｎは平均付加モル数を表し０〜１０の数であり、Ｍは水素原子、アルカリ金属、アンモニウムまたは有機アンモニウムを表す。ｍは１または２を表し、前記リン酸エステル（Ａ）は、ｍ＝１のモノエステル体、ｍ＝２のジエステル体、またはモノエステル体とジエステル体の混合物である。
【発明の効果】
【０００８】
本発明の実施形態であると、衣料などの繊維製品へのダメージを抑えながら、血液汚れに対する洗浄性を向上することができる。
【発明を実施するための形態】
【０００９】
以下、本発明の実施形態について詳細に説明する。
【００１０】
［リン酸エステル（Ａ）］
本実施形態で使用するリン酸エステル（Ａ）（以下、「（Ａ）成分」ともいう。）は、アニオン界面活性剤であり、下記一般式（１）で表される。
【００１１】
【化２】
0006719017.tif 000003
式（１）中、Ｒは、炭素数８〜１８の脂肪族炭化水素基またはスチレン化フェニル基を表す。Ｒは、一分子中に複数含まれるとき、それらは相互に同一でも異なってもよい。また、（Ａ）成分全体としても、Ｒは全て同一でも、Ｒが異なる化合物の混合物でもよい。
【００１２】
前記Ｒの脂肪族炭化水素基は、直鎖状でも分岐状でもよい。該脂肪族炭化水素基の炭素数は８〜１５であることが好ましい。該脂肪族炭化水素基は飽和でも不飽和でもよく、好ましくはアルキル基またはアルケニル基であり、より好ましくはアルキル基である。該脂肪族炭化水素基の具体例としては、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基などの直鎖アルキル基、２−エチルヘキシル基、イソデシル基、２−ヘキシルデシル基、イソステアリル基などの分岐鎖アルキル基、オレイル基などのアルケニル基などが挙げられる。
【００１３】
前記Ｒのスチレン化フェニル基は、下記一般式（２）で表される。式中のｋは置換基数（即ち、スチレン残基の数）であって平均値（小数第１位を四捨五入した値）で１〜３であり、（Ａ）成分はｋの値が異なる化合物の混合物でもよい。該置換基の位置はオルト位及び／又はパラ位であることが好ましい。
【化３】
0006719017.tif 000004
【００１４】
前記Ｒは、炭素数８〜１８の直鎖状もしくは分岐状のアルキル基、またはスチレン化フェニル基であることが好ましく、より好ましくは、炭素数８〜１５の直鎖状もしくは分岐状のアルキル基、またはスチレン化フェニル基である。
【００１５】
式（１）中のＡＯは、炭素数２〜４のオキシアルキレン基を表す。すなわち、Ａは炭素数２〜４のアルキレン基（即ち、アルカンジイル基）を表し、直鎖状でも分岐状でもよい。ＡＯで表されるオキシアルキレン基としては、オキシエチレン基、オキシプロピレン基、オキシブチレン基などが挙げられる。式（１）における（ＡＯ）ｎ部分は、炭素数２〜４のアルキレンオキサイドとして、エチレンオキサイド、プロピレンオキサイド、ブチレンオキサイド、テトラヒドロフラン（１，４−ブチレンオキサイド）等の１種又は２種以上を用いた付加重合体である。オキシアルキレン基の付加形態は特に限定されず、１種類のアルキレンオキサイドを用いた単独付加体でもよく、２種類以上のアルキレンオキサイドを用いたランダム付加体、ブロック付加体、或いはそれらランダム付加とブロック付加の組み合わせでもよい。
【００１６】
上記オキシアルキレン基としてはオキシエチレン基が特に好ましい。２種類以上のオキシアルキレン基を選択する場合には、その１種類はオキシエチレン基であることが好ましい。（ＡＯ）ｎ鎖部分は、好ましくはオキシエチレン基を５０〜１００モル％、より好ましくは７０〜１００モル％含有する（ポリ）オキシアルキレン鎖であり、更に好ましくはオキシエチレン基のみからなること、即ち（ＣＨ２ＣＨ２Ｏ）ｎである。
【００１７】
ｎは、オキシアルキレン基の平均付加モル数（小数第１位を四捨五入した値）を表し、０〜１０の数であり、好ましくは１〜９の数であり、より好ましくは２〜８の数である。
【００１８】
式（１）中のＭは、水素原子、アルカリ金属、アンモニウムまたは有機アンモニウムを表す。Ｍは、一分子中に複数含まれるとき、それらは相互に同一でも異なってもよい。また、（Ａ）成分全体としても、Ｍは全て同一でも、Ｍが異なる化合物の混合物でもよい。アルカリ金属としては、例えば、ナトリウム、カリウムなどが挙げられる。有機アンモニウムとしては、例えば、モノメチルアンモニウム、ジプロピルアンモニウムなどのアルキルアンモニウム、モノエタノールアンモニウム、ジエタノールアンモニウム、トリエタノールアンモニウムなどのアルカノールアンモニウムなどが挙げられる。Ｍは、好ましくは水素原子またはアルカリ金属であり、より好ましくは水素原子、ナトリウムまたはカリウムである。
【００１９】
式（１）中のｍは１または２を表す。ｍ＝１の場合がモノエステル体であり、ｍ＝２の場合がジエステル体である。（Ａ）成分は、モノエステル体：ＲＯ（ＡＯ）ｎＰ（＝Ｏ）（ＯＭ）２でもよく、ジエステル体：［ＲＯ（ＡＯ）ｎ］２Ｐ（＝Ｏ）（ＯＭ）でもよく、モノエステル体とジエステル体の混合物でもよい。通常は、モノエステル体とジエステル体の混合物として得られ、両者のモル比は特に限定されない。例えば、モノエステル体／ジエステル体のモル比は、２０／８０〜９０／１０でもよく、５０／５０〜８０／２０でもよい。
【００２０】
一実施形態において、式（１）は、Ｒが炭素数８〜１８の直鎖状もしくは分岐状のアルキル基、またはスチレン化フェニル基を表し、（ＡＯ）ｎが（ＣＨ２ＣＨ２Ｏ）ｎを表し、平均付加モル数ｎが０〜１０の数であり、Ｍが水素原子、ナトリウムまたはカリウムを表し、ｍが１または２を表し、（Ａ）成分はモノエステル体、ジエステル体または両者の混合物である。
【００２１】
［アルカリ金属の炭酸塩（Ｂ）］
本実施形態で使用するアルカリ金属の炭酸塩（Ｂ）（以下、「（Ｂ）成分」ともいう。）としては、例えば、炭酸ナトリウム、炭酸カリウムが挙げられ、それぞれ単独で用いても併用してもよい。
【００２２】
［ポリオキシアルキレンアルキルエーテル硫酸エステルおよびその塩（Ｃ）］
本実施形態で使用するポリオキシアルキレンアルキルエーテル硫酸エステルおよびその塩の少なくともいずれか一方（Ｃ）（以下、「（Ｃ）成分」ともいう。）は、硫酸エステル型のアニオン界面活性剤である。
【００２３】
（Ｃ）成分について、疎水基としてのアルキル基の炭素数は特に限定されないが、８〜１８であることが好ましく、より好ましくは８〜１５であり、１０〜１４でもよい。アルキル基の炭素数が異なるものを２種以上組み合わせた混合物でもよい。
【００２４】
（Ｃ）成分のポリオキシアルキレン鎖について、オキシアルキレン基としては、炭素数２〜４のもの、即ち、オキシエチレン基、オキシプロピレン基、オキシブチレン基などが挙げられ、好ましくはオキシエチレン基である。オキシアルキレン基の付加形態は特に限定されず、単独付加体でもよく、また２種以上のランダム付加体やブロック付加体でもよい。オキシアルキレン基の平均付加モル数（小数第１位を四捨五入した値）は、１〜３０でもよく、１〜２０でもよく、２〜１０でもよい。また、ポリオキシアルキレン鎖は、オキシエチレン基を５０〜１００モル％含有することが好ましく、より好ましくは７０〜１００モル％含有すること、更に好ましくはオキシエチレン基のみからなることである。
【００２５】
（Ｃ）成分においてアニオン性親水基の塩としては、アルカリ金属塩、アンモニウム塩、アルカノールアミン塩（例えば、エタノールアミン塩）などが挙げられ、好ましくは、ナトリウム塩、カリウム塩などのアルカリ金属塩、又はアンモニウム塩である。
【００２６】
［繊維製品用洗浄剤組成物］
本実施形態に係る繊維製品用洗浄剤組成物は、上記リン酸エステル（Ａ）とアルカリ金属の炭酸塩（Ｂ）とを含み、濃度１質量％水溶液でのｐＨが９．５〜１１．５の範囲にあるものである。これにより、衣料などの繊維製品へのダメージを抑えながら、血液汚れに対する洗浄性を向上することができる。詳細には、（Ａ）成分と（Ｂ）成分を含むものにおいて、更に上記ｐＨが９．５以上であることにより血液汚れに対する洗浄性を向上することができ、また、上記ｐＨが１１．５以下であることにより繊維製品へのダメージを抑えることができる。
【００２７】
濃度１質量％水溶液でのｐＨとは、該繊維製品用洗浄剤組成物を水に溶解または水で希釈して固形分濃度（不揮発分濃度）が１質量％である水溶液を調製したときに、当該水溶液について２５℃で測定したｐＨ（ＪＩＳ  Ｚ８８０２に準拠したガラス電極法により測定）である。濃度１質量％水溶液でのｐＨは、９．８〜１１．２であることが好ましく、より好ましくは１０．０〜１１．０である。
【００２８】
本実施形態に係る繊維製品用洗浄剤組成物は、（Ａ）成分および（Ｂ）成分とともに水を含む液体洗浄剤組成物であることが好ましい。該液体洗浄剤組成物中において、（Ａ）成分は（Ｂ）成分により少なくとも一部が中和される。そのため、（Ａ）成分が酸型、即ち式（１）中のＭが全て水素原子であっても、その少なくとも一部が中和されてアルカリ金属となる。液体洗浄剤組成物の固形分濃度は、特に限定されず、例えば１０〜５０質量％でもよく、２０〜４０質量％でもよい。
【００２９】
（Ａ）成分と（Ｂ）成分の割合は、配合比（Ａ）／（Ｂ）が０．３〜２．０であることが好ましい。すなわち、繊維製品用洗浄剤組成物は、リン酸エステル（Ａ）とアルカリ金属の炭酸塩（Ｂ）とを０．３〜２．０の質量比（Ａ）／（Ｂ）で配合、すなわち混ぜ合わせてなることが好ましい。このように（Ｂ）成分を多く配合することにより、血液汚れに対する洗浄性を向上することができる。配合比（Ａ）／（Ｂ）は、０．５〜１．５であることが好ましく、より好ましくは０．６〜１．２である。
【００３０】
繊維製品用洗浄剤組成物における（Ａ）成分の配合量は特に限定されず、例えば、固形分（不揮発分）１００質量％として、５〜６５質量％でもよく、１０〜５０質量％でもよく、１５〜４０質量％でもよい。
【００３１】
本実施形態に係る繊維製品用洗浄剤組成物は、（Ａ）成分および（Ｂ）成分とともに、ポリオキシエチレンアルキルエーテル硫酸エステルおよびその塩の少なくともいずれか一方（Ｃ）を含むことが好ましい。（Ａ）成分及び（Ｂ）成分とともに（Ｃ）成分を配合することにより、皮脂汚れに対する洗浄性を向上することができる。
【００３２】
（Ｃ）成分の配合量は特に限定されないが、（Ａ）成分および（Ｂ）成分とともに（Ｃ）成分を配合する際の（Ｃ）成分と（Ｂ）成分との配合比（Ｃ）／（Ｂ）が０．５〜４．０であることが好ましい。すなわち、（Ｃ）成分と（Ｂ）成分とを０．５〜４．０の質量比（Ｃ）／（Ｂ）で配合してなることが好ましい。配合比（Ｃ）／（Ｂ）はより好ましくは１．５〜３．５である。
【００３３】
本実施形態に係る繊維製品用洗浄剤組成物には、（Ａ）成分、（Ｂ）成分、（Ｃ）成分および水の他に、その効果を阻害しない範囲内で、他の成分を配合することができる。他の成分としては、例えば、上記（Ａ）成分および（Ｃ）成分以外のアニオン界面活性剤、ノニオン界面活性剤、カチオン界面活性剤、両性界面活性剤、キレート剤、ｐＨ調整剤（水酸化ナトリウム、水酸化カリウム、硫酸、塩酸など）、漂白剤、柔軟剤、蛍光剤、酵素、防腐剤、香料、着色剤、消泡剤、親水性溶剤（一価アルコール、二価アルコールなど）が挙げられる。
【００３４】
ノニオン界面活性剤の具体例としては、ポリオキシアルキレンアルキルエーテル、ポリオキシアルキレンアルキルフェニルエーテル、ポリオキシアルキレン脂肪酸エステル、ポリオキシアルキレンソルビタン脂肪酸エステル、ショ糖脂肪酸エステル、脂肪酸アルカノールアミドなどが挙げられる。ここで、ポリオキシアルキレンとしてはポリオキシエチレンであることが好ましい。
【００３５】
本実施形態に係る繊維製品用洗浄剤組成物は、衣料などの繊維製品を洗浄するための洗浄剤として用いることができる。洗浄方法は特に限定されず、例えば、ドラム式洗濯機やパルセータ式洗濯機などの洗濯機を用いて、水道水などの水に上記繊維製品用洗浄剤組成物を投入して繊維製品とともに攪拌することで洗浄してもよい。また、該繊維製品用洗浄剤組成物を水に溶解または希釈してなる洗浄液に繊維製品を浸け置き洗いし、またはもみ洗いすることで洗浄してもよい。また、該繊維製品用洗浄剤組成物をそのまま繊維製品の汚れ箇所に付与し、その後、水中で洗浄してもよい。
【００３６】
上記繊維製品用洗浄剤組成物の使用量は、特に限定されず、繊維製品用洗浄剤組成物と水を混合してなる洗浄液における固形分濃度として０．０１〜２質量％でもよく、０．１〜１質量％でもよい。浴比（１ｋｇの被洗浄物を洗うのに用いる洗浄液の容量（Ｌ））も特に限定されず、例えば、１：３〜１：４０でもよく、１：５〜１：３０でもよい。
【００３７】
繊維製品としては、例えば、ポリエステル繊維やポリアミド繊維、アクリル繊維などの合成繊維、綿や麻、絹などの天然繊維、レーヨンやアセテートなどのセルロース系繊維などの有機繊維を用いてなる織物、編物、不織布などの布帛、ならびにそれらを用いて得られた衣料や、その他の布製品（例えば、タオル、シーツ）が挙げられる。
【実施例】
【００３８】
以下、実施例により更に詳細に説明するが、本発明はこれらに限定されない。
【００３９】
下記の（Ａ）成分、（Ｂ）成分、（Ｂ’）成分、（Ｃ）成分、ノニオン界面活性剤、キレート剤、および水を用いて、表１に記載の配合処方（質量部）にて各成分を混合して洗浄剤組成物を調製した。
【００４０】
（Ａ）成分：
・Ａ−１：ポリオキシエチレンオクチルエーテルリン酸エステル
Ｃ８アルコール（商品名：オクタノール、ＫＨネオケム株式会社製）１モルにエチレンオキサイド３モルを付加することにより得られたポリオキシエチレンオクチルエーテルに対し、十酸化四リンを０．１７モル仕込み反応させることにより得られた、式（１）中、Ｒ＝２−エチルヘキシル基、ＡＯ＝オキシエチレン基、ｎ＝３、Ｍ＝水素原子、ｍ＝１のモノエステル体とｍ＝２のジエステル体の５５：４５（モル比）混合物。
【００４１】
・Ａ−２：ポリオキシエチレンラウリルエーテルリン酸エステル
Ｃ１２アルコール（商品名：カルコール２０９８、花王株式会社製）１モルにエチレンオキサイド４モルを付加した以外はＡ−１と同様の操作を行い得られた、式（１）中、Ｒ＝ｎ−ドデシル基、ＡＯ＝オキシエチレン基、ｎ＝４、Ｍ＝水素原子、ｍ＝１のモノエステル体とｍ＝２のジエステル体の５８：４２（モル比）混合物。
【００４２】
・Ａ−３：ポリオキシエチレントリデシルエーテルリン酸エステル
Ｃ１３アルコール（商品名：トリデカノール、ＫＨネオケム株式会社製）１モルにエチレンオキサイド６モルを付加した以外はＡ−１と同様の操作を行い得られた、式（１）中、Ｒ＝トリデシル基、ＡＯ＝オキシエチレン基、ｎ＝６、Ｍ＝水素原子、ｍ＝１のモノエステル体とｍ＝２のジエステル体の６０：４０（モル比）混合物。
【００４３】
・Ａ−４：ポリオキシエチレンスチレン化フェニルエーテルリン酸エステル
スチレン化フェノール（商品名：ジスチレン化フェノール、四日市合成株式会社製）１モルにエチレンオキサイド８モルを付加した以外はＡ−１と同様の操作を行い得られた、式（１）中、Ｒ＝式（２）で表されるスチレン化フェニル基（ｋ＝２）、ＡＯ＝オキシエチレン基、ｎ＝８、Ｍ＝水素原子、ｍ＝１のモノエステル体とｍ＝２のジエステル体の７５：２５（モル比）混合物。
【００４４】
（Ｂ）成分：
・Ｂ−１：炭酸ナトリウム
・Ｂ−２：炭酸カリウム
【００４５】
（Ｂ’）成分：
・Ｂ’−１：水酸化ナトリウム
・Ｂ’−２：ケイ酸ナトリウム
【００４６】
（Ｃ）成分：
・Ｃ−１：ポリオキシエチレンラウリルエーテル硫酸エステルナトリウム
Ｃ１２アルコール（商品名：カルコール２０９８、花王株式会社製）１モルにエチレンオキサイド２モルを付加することにより得られたポリオキシエチレンラウリルエーテルに対し、塩化スルホン酸１モルを反応させ、水酸化ナトリウム水溶液で中和することにより得た。オキシエチレン基の平均付加モル数＝２。
【００４７】
・Ｃ−２：ポリオキシエチレンラウリルエーテル硫酸エステルアンモニウム
Ｃ１２アルコール（商品名：カルコール２０９８、花王株式会社製）１モルにエチレンオキサイド６モルを付加することにより得られたポリオキシエチレンラウリルエーテルに対し、スルファミン酸１モルを反応させることにより得た。オキシエチレン基の平均付加モル数＝６。
【００４８】
・Ｃ−３：ポリオキシエチレントリデシルエーテル硫酸エステルナトリウム
Ｃ１３アルコール（商品名：トリデカノール、ＫＨネオケム株式会社製）１モルにエチレンオキサイド３モルを付加することにより得られたポリオキシエチレントリデシルエーテルに対し、塩化スルホン酸１モルを反応させ、水酸化ナトリウム水溶液で中和することにより得た。オキシエチレン基の平均付加モル数＝３。
【００４９】
・ノニオン界面活性剤：ポリオキシアルキレンデシルエーテル、第一工業製薬株式会社製「ノイゲンＸＬ−８０」
・キレート剤：エチレンジアミン四酢酸四ナトリウム
【００５０】
得られた各洗浄剤組成物について、水で希釈して固形分濃度１質量％である水溶液を調製し、ｐＨメーター（株式会社堀場製作所製「ｐＨ  ＭＥＴＥＲ  Ｆ−７１」）を用いて該水溶液の２５℃でのｐＨを測定した。また、各洗浄剤組成物について、下記の評価方法により、血液汚れ洗浄性、洗浄後の布ダメージ、皮脂汚れ洗浄性、および赤ワイン汚れ洗浄性を評価した。
【００５１】
・血液汚れ洗浄性：
標準人工汚染布（ＥＭＰＡ１１１、Swissatest製）を６ｃｍ×６ｃｍに裁断したものを被洗浄物とし、洗浄試験を行った。各洗浄剤組成物を水で２質量％に希釈（５０倍希釈）した洗浄液１Ｌに汚染布を浸漬し、１０分間攪拌した。その後、汚染布を取り出し、１Ｌの水道水で１０秒すすぎ、さらにもう一度１Ｌの水道水で１０秒すすぎ、室温で乾燥させた。乾燥後、色彩計で反射によるＹ値を測定し、下記基準により評価した。
評価基準  ○：Ｙ値が７０以上
△：Ｙ値が６５以上、７０未満
×：Ｙ値が６５未満
【００５２】
・洗浄後の布ダメージ：
血液汚れ洗浄性の評価における洗浄後の布表面を目視で確認し、荒れの有無を確認し、下記基準により評価した。
評価基準  ○：目立った荒れは見られない
×：布表面に荒れが確認できる
【００５３】
・皮脂汚れ洗浄性：
標準人工汚染布をＷＦＫ１０Ｄ（ＷＦＫ製）に変更し、その他は血液汚れ洗浄性と同様にしてＹ値を測定し、下記基準により評価した。
評価基準  ○：Ｙ値が５５以上
△：Ｙ値が５０以上、５５未満
×：Ｙ値が５０未満
【００５４】
・赤ワイン汚れ洗浄性：
標準人工汚染布をＷＦＫ１０ＬＩ（ＷＦＫ製）に変更し、その他は血液汚れ洗浄性と同様にしてＹ値を測定し、下記基準により評価した。
評価基準  ○：Ｙ値が６５以上
△：Ｙ値が６０以上、６５未満
×：Ｙ値が６０未満
【００５５】
【表１】
0006719017.tif 000005
【００５６】
結果は表１に示す通りである。比較例１，２，６では、リン酸エステル（Ａ）を用いているが、アルカリ金属の炭酸塩（Ｂ）を配合せずに、アルカリ剤として水酸化ナトリウムやケイ酸ナトリウム（Ｂ’）を配合している。比較例１，２，６では、ｐＨが高いため血液汚れに対する洗浄性には優れているものの、洗浄後に布ダメージがみられた。比較例３，４では、比較例１，２，６に対して、アルカリ剤を減量してｐＨを下げたため、洗浄後の布ダメージは改善されたが、血液汚れに対する洗浄性に劣っていた。また、比較例１〜４，６では、いずれも赤ワイン汚れに対する洗浄性に劣っており、また、アルカリ剤としてケイ酸ナトリウムを用いた比較例２，４では皮脂汚れに対する洗浄性にも劣っていた。
【００５７】
比較例５では、リン酸エステル（Ａ）とアルカリ金属の炭酸塩（Ｂ）を併用しているが、アルカリ金属の炭酸塩（Ｂ）の配合量が少なく、ｐＨが低かったため、血液汚れおよび皮脂汚れに対する洗浄性に劣っていた。比較例７では、リン酸エステル（Ａ）とアルカリ金属の炭酸塩（Ｂ）を併用しているが、水酸化ナトリウム（Ｂ’）を配合しｐＨが高かったため、洗浄後に布ダメージがみられた。
【００５８】
これに対し、リン酸エステル（Ａ）とアルカリ金属の炭酸塩（Ｂ）を併用し、かつｐＨを９．５〜１１．５の範囲とした実施例１〜１５であると、洗浄後の布ダメージを抑えながら、血液汚れを落とすことができ、血液汚れ洗浄性に優れていた。また実施例１〜１５であると、赤ワイン汚れに対する洗浄性にも優れていた。更に、リン酸エステル（Ａ）およびアルカリ金属の炭酸塩（Ｂ）に加えてポリオキシアルキレンアルキルエーテル硫酸エステル塩（Ｃ）を配合した実施例１〜１４であると、皮脂汚れに対する洗浄性にも優れていた。
【００５９】
以上、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその省略、置き換え、変更などは、発明の範囲や要旨に含まれると同様に、特許請求の範囲に記載された発明とその均等の範囲に含まれるものである。
【要約】
【課題】衣料などの繊維製品へのダメージを抑えながら、血液汚れに対する洗浄性を向上する。
【解決手段】実施形態に係る繊維製品用洗浄剤組成物は、下記一般式（１）で表されるリン酸エステル（Ａ）とアルカリ金属の炭酸塩（Ｂ）とを含み、濃度１質量％水溶液でのｐＨが９．５〜１１．５である。式（１）中、Ｒは炭素数８〜１８の脂肪族炭化水素基またはスチレン化フェニル基、ＡＯは炭素数２〜４のオキシアルキレン基、ｎは０〜１０、Ｍは水素原子、アルカリ金属、アンモニウムまたは有機アンモニウム、ｍは１または２を表す。
【化１】
0006719017.tif 000007
【選択図】なし